(57)【要約】【課題】各被照射体上での光学特性の悪化を抑制することができる光走査装置および画像形成装置を提供する。【解決手段】第１光束と、第２光束とを光走査する偏向器１０などの回転偏向器と、回転偏向器によって等角速度的に偏向走査された第１光束を、感光体ドラム５０４などの第１被照射体上で等速度的に走査するよう補正する第１ｆθレンズ１１ａなどの第１走査レンズと、回転偏向器によって等角速度的に偏向走査された第２光束を、感光体ドラム５０３などの第２被照射体上で等速度的に走査するよう補正する第１ｆθレンズ１１ｂなどの第２走査レンズと、第１走査レンズと第２走査レンズとを、回転偏向器の回転軸方向に並べて収納する光学ハウジング２０ａとを備えた光走査装置１００において、第１走査レンズと、第２走査レンズとを、光学ハウジング２０ａに取り付けた。【選択図】図８
2014160130.tif 000002
【特許請求の範囲】
【請求項１】
第１光束と、第２光束とを光走査する回転偏向器と、
前記回転偏向器によって等角速度的に偏向走査された第１光束を、第１被照射体上で等速度的に走査するよう補正する第１走査レンズと、
前記回転偏向器によって等角速度的に偏向走査された第２光束を、第２被照射体上で等速度的に走査するよう補正する第２走査レンズと、
前記第１走査レンズと前記第２走査レンズとを、前記回転偏向器の回転軸方向に並べて収納する光学ハウジングとを備えた光走査装置において、
前記第１走査レンズと、前記第２走査レンズとを、それぞれ前記光学ハウジングに取り付けたことを特徴とする光走査装置。
【請求項２】
請求項１の光走査装置において、
前記光学ハウジングは、前記第１走査レンズおよび前記第２走査レンズを前記回転偏向器の回転軸方向と直交する方向から見たとき、上面に前記第１走査レンズが取り付けられ、下面に前記第２走査レンズが取り付けられる走査レンズ取り付け部を有することを特徴とする光走査装置。
【請求項３】
請求項２の光走査装置において、
前記回転偏向器と前記第１および第２走査レンズとの間に、第１走査レンズ取り付け側の空間と、第２走査レンズ取り付け側の空間とを連通する連通部を前記光学ハウジングに設けたことを特徴とする光走査装置。
【請求項４】
請求項２または３の光走査装置において、
前記回転偏向器は、前記第１光束を偏向走査する第１回転多面鏡と、前記第１回転多面鏡と前記回転偏向器の回転軸方向に並べて配置され、前記第２光束を偏向走査する第２回転多面鏡とを有し、
前記回転偏向器の回転軸方向と直交する方向から見たとき、前記走査レンズ取り付け部の中心位置を、前記第１回転多面鏡から前記第２回転多面鏡までの間の中間位置と同じ高さにしたことを特徴とする光走査装置。
【請求項５】
画像情報に応じた走査光で光走査装置により感光体を走査して該感光体上に潜像を形成し、該潜像を現像することにより得た画像を最終的に記録材上に転移させて該記録材上に画像を形成する画像形成装置において、
上記光走査装置として、請求項１乃至４いずれかの光走査装置を用いたことを特徴とする画像形成装置。
【発明の詳細な説明】
【技術分野】
【０００１】
本発明は、光走査装置および画像形成装置に関するものである。
【背景技術】
【０００２】
複写機、プリンタ、ファクシミリ等の画像形成装置として、潜像担持体上に画像情報に応じた書込光を偏向走査することにより照射して潜像担持体上に潜像を形成し、この潜像を現像して画像を得るものが知られている（例えば、特許文献１）。特許文献１に記載の光走査装置は、第１光源と、第１光源に対して副走査方向にずれて配置された第２光源と、第１光源から出射する第１光束及び第２光源から出射する第２光束をそれぞれ偏向する回転偏向器とを備えている。また、回転偏向器に入射した第１光束は、等角速度的に偏向走査され、副走査方向に重ねて設けられた２段の走査レンズのうち、上段の走査レンズに入射し、第１潜像担持体上で等速度的に走査するよう補正される。また、回転偏向器に入射した第１光束は、等角速度的に偏向走査され、副走査方向に重ねて設けられた２段の走査レンズのうち、下段の走査レンズに入射し、第２潜像担持体上で等速度的に走査するよう補正される。
【発明の概要】
【発明が解決しようとする課題】
【０００３】
上記特許文献１に記載の光走査装置においては、下段の走査レンズ上に上段の走査レンズを重ねて、光学ハウジングに収納されている。かかる構成の特許文献１に記載の光走査装置においては、以下の課題が発生した。すなわち、下段の走査レンズ上に重ねて配置される上段走査レンズに入射する第１光束の第１潜像担持体上でスポット径などの光学特性が悪くなるという課題である。
【０００４】
そして、上記課題の発生要因について、本出願人らが鋭意研究した結果、次のことが判明した。すなわち、下段走査レンズに重ねて取り付けられる上段走査レンズは、光学ハウジングの走査レンズ取り付け部の公差に、下段走査レンズの外形公差が積み上がる。このように、下段走査レンズの外形公差が積み上がるため上段走査レンズの位置精度が悪くなり、第１光束の第１潜像担持体上での光学特性が悪くなることが判明したのである。
【０００５】
本発明は以上の課題に鑑みなされたものであり、その目的は、各被照射体上での光学特性の悪化を抑制することができる光走査装置および画像形成装置を提供することである。
【課題を解決するための手段】
【０００６】
上記目的を達成するために、請求項１の発明は、第１光束と、第２光束とを光走査する回転偏向器と、前記回転偏向器によって等角速度的に偏向走査された第１光束を、第１被照射体上で等速度的に走査するよう補正する第１走査レンズと、前記回転偏向器によって等角速度的に偏向走査された第２光束を、第２被照射体上で等速度的に走査するよう補正する第２走査レンズと、前記第１走査レンズと前記第２走査レンズとを、前記回転偏向器の回転軸方向に並べて収納する光学ハウジングとを備えた光走査装置において、前記第１走査レンズと、前記第２走査レンズとを、それぞれ前記光学ハウジングに取り付けたことを特徴とするものである。
【発明の効果】
【０００７】
本発明によれば、第１走査レンズ、第２走査レンズを、それぞれ光学ハウジングに取り付けたので、以下の効果を得ることができる。すなわち、一方の走査レンズを他方の走査レンズに重ねて光学ハウジングに取り付ける特許文献１に記載の光走査装置とは異なり、一方の走査レンズの他方の走査レンズの外形寸法公差による位置精度の悪化を無くすことができる。これにより、各被照射体上での光学特性の悪化を抑制することができる。
【図面の簡単な説明】
【０００８】
【図１】実施形態に係るカラープリンタの主要構成を示す模式図である。
【図２】Ｂｋ−Ｃユニットの光学系のレイアウトを示す模式図。
【図３】Ｂｋ−Ｃユニットの入射光学系のレイアウトを示す模式図。
【図４】Ｂｋ−Ｃユニットの走査光学系のレイアウトを示す模式図。
【図５】ポリゴンミラーの回転軸方向から見た偏向器の構成を示す模式図。
【図６】（ａ）は、上段ポリゴンミラーで、感光体ドラム表面を光走査しているときの偏向器周辺の斜視図であり、（ｂ）は、下段ポリゴンミラーで、感光体ドラム表面を光走査しているときの偏向器周辺の斜視図。
【図７】偏向器周辺を示す平面図。
【図８】図７のＸ１−Ｘ１断面図。
【図９】従来の光走査装置の偏向器周辺の断面図
【図１０】連通口を設けていない場合について説明する図。
【発明を実施するための形態】
【０００９】
以下、本発明に係る光走査装置を用いた画像形成装置としてのカラープリンタの一実施形態について説明する。
図１は、本実施形態に係るカラープリンタ５００の主要構成を示す模式図である。
このカラープリンタ５００は、ブラック、シアン、マゼンタ、イエローの４色のトナー像を互いに重ね合わせることにより、フルカラー画像を形成することができるタンデム方式の多色カラープリンタである。このカラープリンタ５００は、光走査装置１００、４つの感光体ドラム５０１，５０２，５０３，５０４を備えている。また、４つのクリーニングユニット６０５Ｙ，６０５Ｍ，６０５Ｃ，６０５Ｂｋ、４つの帯電装置６０２Ｙ，６０２Ｍ，６０２Ｃ，６０２Ｂｋを備えている。また、現像ローラ６０３Ｙ，６０３Ｍ，６０３Ｃ，６０３Ｂｋを備えた４つの現像装置６０４Ｙ，６０４Ｍ，６０４Ｃ，６０４Ｂｋも備えている。さらに、中間転写体である中間転写ベルト６０６、二次転写ローラ６１３、定着装置６１０、給紙コロ６０８、レジストローラ対６０９、排紙ローラ６１２、排紙トレイ６１１なども備えている。
【００１０】
感光体ドラム５０１、クリーニングユニット６０５Ｙ、帯電装置６０２Ｙ、現像ローラ６０３Ｙ、現像装置６０４Ｙは、イエロー画像を形成する画像ステーション（以下「Ｙステーション」という。）を構成する。感光体ドラム５０２、クリーニングユニット６０５Ｍ、帯電装置６０２Ｍ、現像ローラ６０３Ｍ、現像装置６０４Ｍは、マゼンタ画像を形成する画像ステーション（以下「Ｍステーション」という。）を構成する。感光体ドラム５０３、クリーニングユニット６０５Ｃ、帯電装置６０２Ｃ、現像ローラ６０３Ｃ、現像装置６０４Ｃは、シアン画像を形成する画像ステーション（以下「Ｃステーション」という。）を構成する。感光体ドラム５０４、クリーニングユニット６０５Ｂｋ、帯電装置６０２Ｂｋ、現像ローラ６０３Ｂｋ、現像装置６０４Ｂｋは、ブラック画像を形成する画像ステーション（以下「Ｋステーション」という。）を構成する。
【００１１】
各感光体ドラム５０１，５０２，５０３，５０４は、いずれも、その周面に感光層を備えており、不図示の回転機構によって図１中矢印方向へ回転駆動する。各帯電装置６０２Ｙ，６０２Ｍ，６０２Ｃ，６０２Ｂｋは、対応する感光体ドラム５０１，５０２，５０３，５０４の表面を一様に帯電させる。
【００１２】
光走査装置１００は、イエロー用感光体ドラム５０１及びマゼンタ用感光体ドラム５０２を露光走査するＭ−Ｙユニット１００Ａと、シアン用感光体ドラム５０３及びブラック用感光体ドラム５０４を露光走査するＢｋ−Ｃユニット１００Ｂとから構成されている。光走査装置１００は、各々対応する感光体ドラム表面を被走査面として、画像情報に基づいた点灯制御で走査光を照射し、感光体ドラム表面に静電潜像を形成する。ここで形成された静電潜像は、感光体ドラム５０１，５０２，５０３，５０４の回転に伴って、現像装置６０４Ｙ，６０４Ｍ，６０４Ｃ，６０４Ｂｋの現像ローラと対向する現像領域へ搬送される。
【００１３】
各現像装置６０４Ｙ，６０４Ｍ，６０４Ｃ，６０４Ｂｋには、帯電したトナーを担持する現像ローラが備わっている。現像ローラには所定の現像バイアスが印加されており、これにより形成される現像電界の作用によって、現像ローラ上のトナーが感光体ドラム上の静電潜像へ付着する。これにより、感光体ドラム５０１，５０２，５０３，５０４上には、トナーが付着した像（以下「トナー画像」という。）が形成される。
【００１４】
このようにして形成されたトナー画像は、感光体ドラム５０１，５０２，５０３，５０４の回転に伴って中間転写ベルト６０６と対向する一次転写領域へ搬送される。そして、各感光体ドラム５０１，５０２，５０３，５０４上におけるイエロー、マゼンタ、シアン、ブラックの各トナー画像は、互いに重なり合うタイミングで中間転写ベルト６０６上に順次一次転写される。これにより中間転写ベルト６０６上に多色のカラー画像が形成される。各クリーニングユニット６０５Ｙ，６０５Ｍ，６０５Ｃ，６０５Ｂｋは、対応する感光体ドラム５０１，５０２，５０３，５０４の表面に転写されずに残った転写残トナーを除去する。
【００１５】
一方、記録材である記録紙５１０は、給紙コロ６０８によって１枚ずつレジストローラ対６０９へ搬送する。レジストローラ対６０９は、所定のタイミングで記録紙５１０を中間転写ベルト６０６と二次転写ローラ６１３とが対向する二次転写領域へ送る。この二次転写領域において、中間転写ベルト６０６上の多色のトナー画像が記録紙５１０に二次転写される。多色のトナー画像が転写された記録紙５１０は、その後、定着装置６１０に送られる。定着装置６１０は、熱と圧力により記録紙５１０上のトナー画像を記録紙に定着させる。定着後の記録紙５１０は、排紙ローラ６１２を介して排紙トレイ６１１上に排紙される。
【００１６】
図２は、Ｂｋ−Ｃユニット１００Ｂの光学系のレイアウトを示す模式図であり、図３は、Ｂｋ−Ｃユニット１００Ｂの入射光学系のレイアウトを示す模式図である。
入射光学系は、直線偏光にてレーザ光を射出する光源１、光源１から射出されたレーザ光を円偏光に変換する１／４波長板２、１／４波長板２で円偏光に変換されたレーザ光を平行光にするコリメートレンズ３を備えている。また、光量調整を行う光量変更素子としてのＮＤフィルタ４、円偏光となっているレーザ光をＳ偏光、Ｐ偏光へと分け、２つの光路に分光するための偏光ビームスプリッタ（ＰＢＳ）５を備えている。また、２つに分光されたレーザ光Ｌ１，Ｌ２の偏光特性を直線偏光から円偏光に変換する１／４波長板６ａ，６ｂを備えている。また、円偏光に変換された各レーザ光Ｌ１，Ｌ２を、偏向器１０に搭載される２つのポリゴンミラー１０ａ，１０ｂのミラー面上で結像させるシリンドリカルレンズ７ａ，７ｂを備えている。シリンドリカルレンズ７ａ，７ｂは、円偏光に変換されたレーザ光を副走査方向についてのみ集光機能を持っている。
【００１７】
このような入射光学系によって所定のレーザプロファイルに形成された各レーザ光Ｌ１，Ｌ２は、偏向器１０の各ポリゴンミラー１０ａ，１０ｂのミラー面上にそれぞれ結像される。偏向器１０は、副走査方向に平行な回転軸を中心にポリゴンミラー１０ａ，１０ｂを一体的に所定の回転数で安定駆動させている。このように回転しているポリゴンミラー１０ａ，１０ｂのミラー面にレーザ光Ｌ１，Ｌ２が入射することで、図２に示すように、レーザ光Ｌ１，Ｌ２が主走査方向へ走査される。
【００１８】
図４は、Ｂｋ−Ｃユニット１００Ｂの走査光学系のレイアウトを示す模式図である。
走査光学系は、ポリゴンミラー１０ａ，１０ｂにより走査されたレーザ光の等角度運動を等速直線運動へと変えるｆθレンズ１１ａ,１１ｂ、走査対象物としての感光体へとレーザ光を導く第１ミラー１２ａ，１２ｂ、第２ミラー１４ａ，１４ｂを備えている。また、ポリゴンミラー１０ａ，１０ｂの面倒れを補正する長尺レンズ１３ａ,１３ｂ、光学ハウジング内への塵などの進入を防止する防塵ガラス１５ａ,１５ｂを備えている。
【００１９】
上段ポリゴンミラー１０ａのミラー面で走査されたレーザ光Ｌ１は、ｆθレンズ１１ａ，第１ミラー１２ａ，長尺レンズ１３ａ，第２ミラー１４ａを経て、防塵ガラス１５ａを透過し、感光体ドラム５０４の表面で等速走査される。また、下段ポリゴンミラー１０ｂのミラー面で走査されたレーザ光Ｌ２は、ｆθレンズ１１ｂ，第１ミラー１２ｂ，長尺レンズ１３ｂ，第２ミラー１４ａを経て、防塵ガラス１５ａを透過し、感光体ドラム５０３の表面で等速走査される。
【００２０】
また、Ｂｋ−Ｃユニット１００Ｂは、先の図２に示すように、主走査書き出しタイミングを決定するための同期センサ１７、同期センサ１７に精度良くレーザ光を集光させるための同期用シリンドリカルレンズ１６を備えている。
【００２１】
入射光学系、走査光学系、同期センサ１７、同期用シリンドリカルレンズ１６は、Ｂｋ−Ｃユニット１００Ｂの光学ハウジング２０ａに搭載されており、光走査装置としての特性が確保されている。
【００２２】
偏向器１０によって走査されたレーザ光は、ｆθレンズ１１ａ,１１ｂを通過した後、同期用シリンドリカルレンズ１６により集光された後、同期センサ１７に入射する。同期センサ１７が光ビームを検知すると、同期信号が出力される。そして、同期が取れて光源１から画像データに基づくレーザ光が出力され、この画像データに基づくレーザ光が、走査光学系を経由して、感光体ドラム５０３，５０４上で走査される。これにより、感光体ドラム５０３，５０４に潜像画像が形成される。
【００２３】
光源１から射出されるレーザ光Ｌ０は、１／４波長板２によって直線偏光から円偏光に変換されている。このように円偏光特性をもつレーザ光Ｌ０は、先の図１１に示した偏光ビームスプリッタ５の偏光分離面に到達すると、円偏光の偏光成分のうち、ポリゴンミラー１０ａ，１０ｂの回転軸方向と直交する成分（ｓ偏光成分）のみが偏光分離面を透過する。そして、ｓ偏光成分のみのレーザ光Ｌ２が下段ポリゴンミラー１０ｂへ向かう。一方、円偏光の偏光成分のうち、ポリゴンミラー１０ａ，１０ｂの回転軸方向と平行な成分（ｐ偏光成分）は、偏光分離面で反射される。偏光分離面に入射されるレーザ光が円偏光であるため、ｓ偏光成分とｐ偏光成分との比は、１：１となる。その後、ｐ偏光成分のみのレーザ光Ｌ１は、偏光ビームスプリッタ５の反射面で反射され、上段ポリゴンミラー１０ａに向かう。この時点で、分離された２つのレーザ光Ｌ１，Ｌ２は、それぞれ、異なる偏光特性を有するものとなっているが、その後、各レーザ光Ｌ１，Ｌ２は、１／４波長板６ａ，６ｂにより再度円偏光に変換される。
【００２４】
図５は、ポリゴンミラー１０ａ，１０ｂの回転軸方向から見た偏向器１０の構成を示す模式図である。
偏向器１０において、２つのポリゴンミラー１０ａ，１０ｂは、一体的な形状であり、モータ基板１０Ｃ上に組みつけられる。ポリゴンミラー１０ａ，１０ｂは、それぞれ４面のミラー面をもっており、上段ポリゴンミラー１０ａのミラー面と下段ポリゴンミラー１０ｂのミラー面とは、回転方向に角度θだけずれるように配置されている。本実施形態では、θ＝４５°となっている。
【００２５】
図６（ａ）に示すように、上段ポリゴンミラー１０ａで、レーザ光Ｌ１が感光体ドラム５０４表面を走査しているときは、レーザ光Ｌ２は、下段ポリゴンミラー１０ｂにより遮光部材１８の表面を走査する。また、図６（ｂ）に示すように、下段ポリゴンミラー１０ｂで、レーザ光Ｌ２が感光体ドラム５０３表面を走査しているときは、レーザ光Ｌ１が、上段ポリゴンミラー１０ａにより遮光部材１８の表面を走査する。
【００２６】
図７は、偏向器周辺を示す平面図であり、図８は、図７のＸ１−Ｘ１断面図である。
以下の説明では、便宜上、ポリゴンミラ−１０ａ,１０ｂの回転軸方向を、Ｚ方向、ｆθレンズ１１ａ,１１ｂの長手方向をＹ方向、これらいずれにも直交する方向をＸ方向として説明する。
図７、図８に示すように、光学ハウジングには、偏向器１０が取り付けられる偏向器取り付け部２１と、ｆθレンズ１１ａ,１１ｂが取り付けられる走査レンズ取り付け面部２２とを有している。走査レンズ取り付け面部２２は、図７に示すように、Ｚ方向に対して直交する板状の形状となっている。
【００２７】
図８に示すように、第１光束である上段のレーザ光Ｌ１が入射する第１ｆθレンズ１１ａは、光学ハウジング２０ａの走査レンズ取り付け面部２２の上面に取り付けられている。また、第２光束である下段のレーザ光Ｌ２が入射する第２ｆθレンズ１１ｂが、走査レンズ取り付け面部２２の下面に取り付けられている。第２ｆθレンズ１１ｂは、走査レンズ取り付け面部２１を挟んで、第１ｆθレンズ１１ａの真下に取り付けられている。
【００２８】
また、この走査レンズ取り付け面部２２には、シリンドリカルレンズ７ａ,７ｂも取り付けられている。上段のレーザ光Ｌ１が入射する第１シリンドリカルレンズ７ａは、走査レンズ取り付け面部２２の上面に取り付けられている。また、下段のレーザ光Ｌ２が入射する第２シリンドリカルレンズ７ｂは、走査レンズ取り付け面部２２の下面に取り付けられている。また、第２シリンドリカルレンズ７ｂは、走査レンズ取り付け面部２１を挟んで、第１ｆシリンドリカルレンズの真下に取り付けられている。
【００２９】
図８に示すように、走査レンズ取り付け面部２２のＺ軸方向の中心位置は、上段ポリゴンミラー１０ａと下段ポリゴンミラー１０ｂとの中間位置ＡとＺ軸方向同一高さとなるように構成されている。
【００３０】
図９は、従来の光走査装置の偏向器１０周辺の断面図である。
図９に示すように、従来の光走査装置は、走査レンズ取り付け面部２２の上面に第２ｆθレンズ１１ｂが取り付けられ、この第２ｆθレンズ１１ｂに第１ｆθレンズ１１ａを重ねて固定していた。かかる構成とすることで、第１ｆθレンズ１１ａには、走査レンズ取り付け面部２２のＺ方向の公差に、第２ｆθレンズ１１ｂのＺ方向の外形寸法公差が積み上がる。このため、上段のレーザ光Ｌ１は、第１ｆθレンズ１１ａのＺ方向中央Ｂを通らずに、中央Ｂよりも図中上側を透過する。その結果、場合によっては、第１ｆθレンズ１１ａの所定の光学特性が得られる範囲である有効範囲外を上段のレーザ光Ｌ１が通過するおそれがある。その結果、上段のレーザ光Ｌ１が光走査する感光体ドラム５０４上に、所望の光学特性で光走査できず、濃度ムラなどの異常画像が生じるおそれがある。
【００３１】
また、２つ分の厚さを持ち、一つのｆθレンズで、上段のレーザ光Ｌ１と、下段のレーザ光とを、等速度に変換するのも従来から知られている。しかし、この場合は、レンズの厚肉成形技術が必要となり、走査方向に対して均一な光学特性を備えることが極めて難しい。その結果、内部屈折率が、上段光路、下段光路で異なり、感光体ドラム５０３と、感光体ドラム５０４とでビームスポット径が、異なるという不具合が発生する。また、透過率も上段光路、下段光路で異なり、光量が、感光体ドラム５０３と、感光体ドラム５０４とで異なる不具合も発生する。
【００３２】
これに対し本実施形態においては、図８に示すように、各ｆθレンズ１１ａ,１１ｂのＺ方向の位置精度を悪くする要因は、走査レンズ取り付け面部２２のＺ方向の公差のみとなる。これにより、第１ｆθレンズ１１ａ、第２ｆθレンズ１１ｂのいずれも、Ｚ方向に精度よく取り付けることができる。その結果、上段のレーザ光Ｌ１、下段のレーザ光Ｌ２いずれも、ｆθレンズの有効範囲を通過することができ、感光体ドラム５０３,５０４いずれも所望の光学特性で光走査することができる。これにより、感光体ドラム５０３,５０４いずれも良好な潜像を形成することができる。
【００３３】
また、図９に示すように、第２シリンドリカルレンズ７ｂ上に重ねて第１シリンドリカルレンズ７ａが取り付けられている。このため、第１シリンドリカルレンズ７ａのＺ方向の位置精度が悪くなり、第１レーザ光Ｌ１を上段ポリゴンミラー１０ａの所望の位置に集光できないおそれがある。しかし、本実施形態においては、図８に示すように、各シリンドリカルレンズ７ａ,７ｂは、走査レンズ取り付け面部２２に取り付けられるので、各シリンドリカルレンズ７ａ、７ｂのＺ方向位置精度の悪化要因が、走査レンズ取り付け面部２２のみとなる。従って、第１、第２シリンドリカルレンズ７ａ,７ｂともに、ポリゴンミラー１０ａ,１０ｂの所望の位置にレーザ光Ｌ１,Ｌ２を集光させることができる。これにより、感光体ドラム５０３,５０４いずれも良好な潜像を形成することができる。
【００３４】
また、本実施形態においては、図８に示すように、走査レンズ取り付け面部２２のＺ軸方向の中心位置は、上段ポリゴンミラー１０ａと下段ポリゴンミラー１０ｂとの中間位置ＡとＺ軸方向同一高さとなっている。これにより、第１ｆθレンズ１１ａと第２ｆθレンズ１１ｂとを、同一のものを用いることができる。すなわち、走査レンズ取り付け面部２２のＺ軸方向の中心位置が、上段ポリゴンミラー１０ａと下段ポリゴンミラー１０ｂとの中間位置ＡとＺ軸方向同一高さでない場合、各レーザ光Ｌ１,Ｌ２が、ｆθレンズ１１ａのＺ方向中央部を透過させるためには、各ｆθレンズのＺ方向長さを変える必要がある。一方、走査レンズ取り付け面部２２のＺ軸方向の中心位置を、上段ポリゴンミラー１０ａと下段ポリゴンミラー１０ｂとの中間位置ＡとＺ軸方向同一高さとすることで、同一のｆθレンズで、各レーザ光Ｌ１,Ｌ２を、ｆθレンズのＺ方向中央部を透過させることができる。このように同一のｆθレンズを用いることができるので、部品管理コストなどを低減することができ、安価な光走査装置を提供することができる。また、第１シリンドリカルレンズ７ａ、第２シリンドリカルレンズ７ｂを同一のものを用いることができる。これにより、部品管理コストなどをさらに低減することができ、安価な光走査装置を提供することができる。
【００３５】
また、偏向器１０は、高速回転するため、偏向器１０の軸受部１０ｄが回転軸との摩擦により発熱する。また、偏向器１０の駆動時は、モータ基板１０Ｃに流れる電流によりモータ基板１０Ｃが発熱する。
【００３６】
図９に示す、従来構成においては、軸受部１０ｄやモータ基板１０Ｃにより加熱された空気は、光学ハウジング２０ａ内を上昇していき、光学ハウジングの上部側が、下部側よりも温度が高くなる。従って、図９に示すように、ｆθレンズ１１ａ,１１ｂを重ねて設けた場合は、上側の第１ｆθレンズ１１ａが、下側の第２ｆθレンズ１１ｂよりも温度が高くなってしまう。その結果、上側の第１ｆθレンズ１１ａが、下側の第２ｆθレンズ１１ｂとで、熱膨張が異なり、色ずれなどの悪影響が生じてしまう。
【００３７】
また、図１０に示すように、走査レンズ取り付け部２２に連通口２３を有していない場合、軸受部１０ｄやモータ基板１０Ｃで加熱された空気の多くは、走査レンズ取り付け部２の下側へ流れ込む。従って、第２ｆθレンズ１１ｂが、第１ｆθレンズ１１ａよりも温度が高くなり、第２ｆθレンズ１１ｂが、第１ｆθンズ１１ａよりも熱膨張してしまう。その結果、色ずれなどの悪影響が生じるおそれがある。
【００３８】
これに対し、本実施形態においては、図７、図８に示すように、走査レンズ取り付け部２２の偏向器側に、連通口２３を設けている。これにより、図８に示すように、偏向器１０の軸受部１０ｄやモータ基板１０Ｃにより加熱された空気の一部は、この連通口２３を通って、走査レンズ取り付け部２２の上部側へ流れる。その結果、第１ｆθレンズ１１ａ、第２ｆθレンズ１１ｂの温度をほぼ同じにすることができる。その結果、各ｆθレンズ１１ａ、１１ｂの熱膨張をほぼ同じにすることができ、色ずれを抑制することができる。
【００３９】
また、本実施形態においては、偏向器１０が密閉されていないが、防音ガラスなどで密閉した構成においても、上記連通口２３を設けることで、同様な効果を得ることができる。すなわち、偏向器１０が密閉された構成においては、防音ガラスから熱が放出される。このとき、発熱源であるモータ基板１０Ｃや軸受部１０ｄが設けられた走査レンズ取り付け部２２よりも下側の方が、上側に比べて、放熱量が多くなる。従って、連通口２３を有していない場合は、走査レンズ取り付け部２２の下側の方が、上側よりも温度が高くなる。その結果、この場合も、連通口２３を設けていないと、第２ｆθレンズ１１ｂが、第１ｆθレンズ１１ａよりも熱膨張してしまう。一方、連通口２３を設けることで、防音ガラスから放出された熱の一部が、連通口２３を通って上部側へ移動する。これにより、第１ｆθレンズ１１ａ、第２ｆθレンズ１１ｂの温度をほぼ同じにすることができる。その結果、各ｆθレンズ１１ａ、１１ｂの熱膨張をほぼ同じにすることができ、色ずれを抑制することができる。
【００４０】
なお、上述では、一つの光源にて、感光体ドラム５０３、５０４上を光走査する光走査装置に本発明を適用した実施形態について説明した。しかし、光源を２個設け、一方の光源で感光体ドラム５０３上を走査し、他方の光源で、感光体ドラム５０４上を走査する光走査装置にも本発明を適用することができる。
【００４１】
以上に説明したものは一例であり、本発明は、以下の態様毎に特有の効果を奏する。
（態様１）
第１光束と、第２光束とを光走査する偏向器１０などの回転偏向器と、回転偏向器によって等角速度的に偏向走査された第１光束を、感光体ドラム５０４などの第１被照射体上で等速度的に走査するよう補正する第１ｆθレンズ１１ａなどの第１走査レンズと、回転偏向器によって等角速度的に偏向走査された第２光束を、感光体ドラム５０３などの第２被照射体上で等速度的に走査するよう補正する第１ｆθレンズ１１ｂなどの第２走査レンズと、第１走査レンズと第２走査レンズとを、回転偏向器の回転軸方向に並べて収納する光学ハウジング２０ａとを備えた光走査装置１００において、第１走査レンズと、第２走査レンズとを、光学ハウジング２０ａに取り付けた。
かかる構成を備えることで、実施形態で説明したように、第１ｆθレンズ１１ａなどの第１走査レンズと、第２ｆθレンズ１１ｂなどの第２走査レンズとを重ねて取り付けた図９に示す従来構成に比べて、各被照射体上での光学特性の悪化を抑制することができる。
【００４２】
（態様２）
態様１において、光学ハウジング２０ａは、第１ｆθレンズ１１ａなどの第１走査レンズおよび第２ｆθレンズ１１ｂなどの第２走査レンズを偏向器１０などの回転偏向器の回転軸方向と直交する方向から見たとき、上面に第１走査レンズが取り付けられ、下面に第２走査レンズが取り付けられる走査レンズ取り付け部２２を有する。
かかる構成を備えることで、簡単な構成で、第１ｆθレンズ１１ａなどの第１走査レンズと、第２ｆθレンズ１１ｂなどの第２走査レンズとを光学ハウジングに取り付けることができる。
【００４３】
（態様３）
態様２において、偏向器１０などの回転偏向器と第１、第２ｆθレンズ１１ａ,１１ｂなどの第１および第２走査レンズとの間に、第１走査レンズ取り付け側の空間と、第２走査レンズ取り付け側の空間とを連通する連通部２３を光学ハウジング２０ａに設けた。
かかる構成を備えることで、実施形態で説明したように、第１ｆθレンズ１１ａなどの第１走査レンズの温度と、第２ｆθレンズ１１ｂのなどの第２走査レンズの温度とをほぼ同じにすることができる。その結果、各走査レンズの熱膨張をほぼ同じにすることができ、色ずれを抑制することができる。
【００４４】
（態様４）
また、（態様２）または（態様３）において、偏向器１０などの回転偏向器は、第１光束を偏向走査する上段ポリゴンミラー１０ａなどの第１回転多面鏡と、第１回転多面鏡と回転偏向器の回転軸方向に並べて配置され、第２光束を偏向走査する下段ポリゴンミラーなどの第２回転多面鏡とを有し、回転偏向器の回転軸方向と直交する方向から見たとき、走査レンズ取り付け部２２の中心位置を、第１回転多面鏡から第２回転多面鏡までの間の中間位置と同じ高さにした。
かかる構成を備えることで、実施形態で説明したように、第１ｆθレンズ１１ａなどの第１走査レンズと、第２ｆθレンズ１１ｂなどの第２走査レンズとを、同一の走査レンズにすることができる。
【００４５】
（態様５）
また、画像情報に応じた走査光で光走査装置により感光体を走査して感光体上に潜像を形成し、潜像を現像することにより得た画像を最終的に記録材上に転移させて記録材上に画像を形成する画像形成装置において、光走査装置として、（態様１）乃至（態様４）いずれかの光走査装置を用いた。
かかる構成を備えることで、高品質な画像を形成することができる。
【符号の説明】
【００４６】
７ａ：第１シリンドリカルレンズ
７ｂ：第２シリンドリカルレンズ
１０：偏向器
１０ａ：上段ポリゴンミラー
１０ｂ：下段ポリゴンミラー
１０ｃ：モータ基板
１０ｄ 軸受部
１１ａ：第１ｆθレンズ
１１ｂ：第２ｆθレンズ
２０ａ：光学ハウジング
２１：偏向器取り付け部
２２：走査レンズ取り付け部
２３：連通口
１００：光走査装置
５０１，５０２，５０３，５０４：感光体ドラム
Ｌ１：上段レーザ光
Ｌ２：下段レーザ光
【先行技術文献】
【特許文献】
【００４７】
【特許文献１】特許４６７５７０９号公報
【図１】
2014160130.tif 000003
【図２】
2014160130.tif 000004
【図３】
2014160130.tif 000005
【図４】
2014160130.tif 000006
【図５】
2014160130.tif 000007
【図６】
2014160130.tif 000008
【図７】
2014160130.tif 000009
【図８】
2014160130.tif 000010
【図９】
2014160130.tif 000011
【図１０】
2014160130.tif 000012